【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
第１端および第２端を有する少なくとも１つの導体（１６）と、
前記少なくとも１つの導体（１６）の前記第１端に連結されているフェーザ測定ユニット（ＰＭＵ（５０））であって、前記ＰＭＵ（５０）は、前記第１端でフェーザデータを得るように、かつ前記フェーザデータを含むフェーザ信号を生成するように構成されている、ＰＭＵ（５０）と、
前記少なくとも１つの導体（１６）の前記第２端に連結されており、かつ前記少なくとも１つの導体（１６）に電力を提供するように構成されている電力発電システム（２０、２２）であって、前記電力発電システム（２０、２２）は、電源（２６、３０）、電力変換器（２８、３２）、および制御器（３６、４０、４２）を備え、前記制御器（３６、４０、４２）は、前記ＰＭＵ（５０）に通信可能に連結されており、前記フェーザ信号を受信するように、かつ前記フェーザデータに基づいて少なくとも部分的に前記電力変換器（２８、３２）を制御するように構成されている、電力発電システム（２０、２２）と、
前記変換器制御器（４０、４２）に通信可能に連結された測定装置（７０）と、
を備え、
前記測定装置（７０）は、
前記少なくとも１つの導体（１６）の前記第２端で電圧および電流の少なくとも１つを測定するように、かつ、
前記少なくとも１つの導体（１６）の前記第２端で測定されている前記電圧および前記電流の少なくとも１つを表している変換器出力データを含む出力電力信号を生成するように、
構成され、
前記制御器（４０、４２）は、
前記変換器出力データおよび前記フェーザデータに基づいて前記少なくとも１つの導体（１６）のインピーダンス（Ｘ）を決定するように、かつ、
前記少なくとも１つの導体（１６）の前記インピーダンスに少なくとも部分的に基づいて前記送電網（１４）が受け入れることができる最大電力を決定するように、
構成されている、
電力供給システム（１０）。
【請求項２】
前記少なくとも１つの導体（１６）は、電力を前記電力発電システム（２０、２２）から前記送電網（１４）に送信することおよび分配することの少なくとも１つをするように構成されている少なくとも１つの伝送線（１６）を備える、請求項１に記載の電力供給システム（１０）。
【請求項３】
前記制御器（３６、４０、４２）は、前記フェーザデータを前記制御器（３６、４０、４２）の作動に適用することにより、低電圧乗り切り事象および／またはゼロ電圧乗り切り事象の間、前記電力発電システム（２０、２２）と前記送電網（１４）との間の位相同期を維持するように構成されている、請求項１に記載の電力供給システム（１０）。
【請求項４】
前記電源（２６、３０）は、風力タービン発電機および光起電力アレイの少なくとも１つを備える、請求項１に記載の電力供給システム（１０）。
【請求項５】
前記制御器（３６、４０、４２）は、中央システム制御器（３６）および個々の変換器制御器（４０、４２）の少なくとも１つを備える、請求項１に記載の電力供給システム（１０）。
【請求項６】
前記ＰＭＵ（５０）は、前記フェーザデータに時刻印するために使用される時間基準信号を受信する全地球測位システム（ＧＰＳ）受信機（６０、６４）を備える、請求項１に記載の電力供給システム（１０）。
【請求項７】
前記フェーザデータは、前記少なくとも１つの導体（１６）の前記第１端で電力に関連する、時刻印された電流フェーザおよび時刻印された電圧フェーザの少なくとも１つを備える、請求項６に記載の電力供給システム（１０）。
【請求項８】
前記制御器（４０、４２）は、前記時間基準信号を受信するＧＰＳ受信機（６０、６４）を備え、前記制御器（４０、４２）は、前記電力変換器（２８、３２）を制御するための電圧基準および電流基準の少なくとも１つとして、時刻印された前記フェーザデータを使用する、請求項７に記載の電力供給システム（１０）。
【請求項９】
前記制御器（４０、４２）は、前記少なくとも１つの導体（１６）の前記第１端で前記電力と同位相にある電力を出力するように、前記電力変換器（２８、３２）を制御する、請求項７に記載の電力供給システム（１０）。
【請求項１０】
前記変換器制御器（４０、４２）は、前記送電網（１４）が受け入れることができる前記最大電力未満である電力を出力するように前記電力変換器（２８、３２）を制御する、請求項１に記載の電力供給システム（１０）。
【請求項１１】
伝送線（１６）を通じて送電網（１４）に電力を提供するように構成されている少なくとも１つの電力変換器（２８、３２）を制御する方法であって、
少なくとも１つの電力変換器（２８、３２）の電圧出力を監視することと、
前記電圧出力に関連する電圧出力データを記録することと、
時間基準信号を受信し、かつ前記電圧出力データに時刻印を付与することと、
少なくとも１つの電力変換器（２８、３２）からの伝送線（１６）の反対端に位置する第１位置で電圧フェーザを測定することと、
前記時間基準信号を受信し、かつフェーザデータを生成するために前記電圧フェーザに前記時間基準信号を関連させることと、
電力変換器制御器（４０、４２）に前記フェーザデータを送信することと、
前記電力変換器制御器（４０、４２）を使用して、前記フェーザデータおよび前記電圧出力データに少なくとも部分的に基づいて、前記少なくとも１つの電力変換器（２８、３２）を制御することと、
前記少なくとも１つの電力変換器（２８、３２）の電力出力を決定することと、
前記電力出力および前記フェーザデータに少なくとも部分的に基づいて前記伝送線（１６）のインピーダンスを決定することと、
前記伝送線（１６）の前記インピーダンスに少なくとも部分的に基づいて前記送電網（１４）が受け入れることができる最大電力を決定することと、
を含む、方法。
【請求項１２】
前記少なくとも１つの電力変換器（２８、３２）の前記電圧出力を前記フェーザデータに同期させることを、さらに含む、請求項１１に記載の方法。
【請求項１３】
前記少なくとも１つの電力変換器（２８、３２）の前記電圧出力を前記フェーザデータに同期させることは、前記第１位置で測定されている前記電圧と同位相にある周波数を有する電圧を出力するように少なくとも１つの電力変換器（２８、３２）を制御することを含む、請求項１２に記載の方法。
【請求項１４】
第１端および第２端を有する伝送線（１６）に連結されている電力変換器（２８、３２）を制御するように構成されている制御器（３６、４０、４２）であって、
時間基準信号を受信するように構成されている全地球測位システム（ＧＰＳ）受信機（６０、６４）と、
前記電力変換器（２８、３２）の電圧出力に関連する電圧出力データを記憶するように構成されているメモリ装置であって、前記電圧出力データは、第１時刻に前記伝送線（１６）の前記第１端で測定されている電圧出力データを含む、メモリ装置と、
処理装置（４４、４６、４８）であって、
前記メモリ装置に記憶されている前記電圧出力データに時刻基準を付与するように、
前記伝送線（１６）の前記第２端に置かれているフェーザ測定ユニット（ＰＭＵ（５０））から、フェーザデータを前記第１時刻に結び付ける時刻基準を含む前記フェーザデータを受信するように、
前記第１時刻からの前記フェーザデータを前記第１時刻からの前記電圧出力データと比較するように、
前記フェーザデータおよび前記電圧出力データに少なくとも部分的に基づいて前記電力変換器（２８、３２）の作動を制御するように、
前記電力変換器（２８、３２）の電力出力を決定するように、
前記電力変換器（２８、３２）の前記電力出力および前記フェーザデータに少なくとも部分的に基づいて前記伝送線（１６）のインピーダンスを決定するように、
前記伝送線（１６）の前記インピーダンスに少なくとも部分的に基づいて前記送電網（１４）が受け入れることができる最大電力を決定するように、
構成されている、処理装置（４４、４６、４８）と、
を備える、制御器（３６、４０、４２）。